【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
遊技内容に応じて遊技者に有価価値を付与するための有価価値付与処理を行う主制御基板と、その主制御基板の有価価値付与処理によって遊技者に有価価値を付与する場合に前記主制御基板に設けられる演算装置の制御によって予め定めた当たり表示を行う図柄表示装置と、その図柄表示装置と別個に設けられると共に遊技球等の遊技媒体により遊技が行われる遊技盤に設けられて装飾を行う装飾装置と、前記遊技球等の遊技媒体を検出すると共に前記主制御基板と電気的に接続される検出手段とを備えた遊技機において、
その遊技機は、
前記主制御基板と前記図柄表示装置との間に介在し、前記主制御基板と前記図柄表示装置とを電気的に接続する第１基板と、
その第１基板から分離して形成されると共に、前記主制御基板と前記装飾装置との間に介在し、前記主制御基板と前記装飾装置とを電気的に接続する第２基板と、
その第２基板と前記主制御基板との間に介在し、前記装飾装置を制御するための演算装置を有する装飾制御基板とを備え、
前記主制御基板は、
前記検出手段によって前記遊技球等の遊技媒体を検出した場合に、
前記図柄表示装置を駆動制御するための信号を出力することで、前記主制御基板とは別の基板に設けられる他の演算装置を介さず直接的に前記図柄表示装置の表示制御を開始して前記図柄表示装置に表示される図柄を変動させると共に、前記装飾制御基板に制御信号を送信し、その制御信号を受信した前記装飾制御基板の演算装置が前記制御信号に基づいて前記装飾装置を制御することで、前記装飾制御基板の演算装置を介して間接的に前記装飾装置を制御するものであることを特徴とする遊技機。
【手続補正２】
【補正対象書類名】明細書
【補正対象項目名】０００２
【補正方法】変更
【補正の内容】
【０００２】
球を遊技領域へ打ち込んで遊技を行うパチンコ機では、遊技盤に設けられる始動口、普通入賞口および大入賞口（特定入賞口）などの入賞装置や、複数種類の図柄を変動表示可能な液晶ディスプレイを備えた表示装置を制御して遊技の興趣を盛り上げるものが主流となっている。この入賞装置の制御は、ＩＣやＬＳＩ等の多数の電子部品（制御部品）で構成されたロジック制御回路、又は、マイクロコンピュータを有する制御回路等で構成されたメイン制御回路が搭載された主制御基板（メイン基板）より行われている。
【手続補正３】
【補正対象書類名】明細書
【補正対象項目名】０００３
【補正方法】変更
【補正の内容】
【０００３】
例えば、このような主制御基板を備えたパチンコ機では、遊技領域へ打ち込まれた遊技球の始動口への通過に伴い表示装置の変動表示が開始される。この変動図柄が予め定められた図柄の組み合わせと一致して停止すると、大当たりとなって、遊技者に所定の遊技価値が付与され、即ち、大入賞口が開放されて、大量の賞球などの有価媒体が払出可能な状態となる。この大当たり処理が、いわゆる有価媒体などの有価価値を遊技者に付与するための有価価値付与処理の一種である。
【手続補正４】
【補正対象書類名】明細書
【補正対象項目名】０００４
【補正方法】変更
【補正の内容】
【０００４】
ところで、パチンコ機は、遊技者に出球などの有価価値を付与するための有価価値の付与処理（有価価値付与処理）に関与する装置について検査試験が行われる。ここで、有価価値の付与処理に関与する装置には、例えば、入賞装置へ入賞した遊技球を検出する入賞スイッチ、表示装置の変動表示を開始するために始動口を通過した遊技球を検出する始動口スイッチなどがあった。
【手続補正５】
【補正対象書類名】明細書
【補正対象項目名】０００５
【補正方法】変更
【補正の内容】
【０００５】
ところが、上述したパチンコ機では、有価価値の付与処理に関与する装置が主制御基板と接続されているだけでなく、有価価値の付与処理に関与しない装置も多々接続されていた。このため、検査試験が煩雑となるという問題点があった。
【手続補正６】
【補正対象書類名】明細書
【補正対象項目名】０００６
【補正方法】変更
【補正の内容】
【０００６】
本発明は、上述した問題点を解決するためになされたものであり、遊技に関する検査試験を簡素化することができる遊技機を提供することを目的としている。
【手続補正７】
【補正対象書類名】明細書
【補正対象項目名】０００７
【補正方法】変更
【補正の内容】
【０００７】
この目的を達成するために請求項１記載の遊技機は、遊技内容に応じて遊技者に有価価値を付与するための有価価値付与処理を行う主制御基板と、その主制御基板の有価価値付与処理によって遊技者に有価価値を付与する場合に前記主制御基板に設けられる演算装置の制御によって予め定めた当たり表示を行う図柄表示装置と、その図柄表示装置と別個に設けられると共に遊技球等の遊技媒体により遊技が行われる遊技盤に設けられて装飾を行う装飾装置と、前記遊技球等の遊技媒体を検出すると共に前記主制御基板と電気的に接続される検出手段とを備えており、その遊技機は、前記主制御基板と前記図柄表示装置との間に介在し、前記主制御基板と前記図柄表示装置とを電気的に接続する第１基板と、その第１基板から分離して形成されると共に、前記主制御基板と前記装飾装置との間に介在し、前記主制御基板と前記装飾装置とを電気的に接続する第２基板と、その第２基板と前記主制御基板との間に介在し、前記装飾装置を制御するための演算装置を有する装飾制御基板とを備え、前記主制御基板は、前記検出手段によって前記遊技球等の遊技媒体を検出した場合に、前記図柄表示装置を駆動制御するための信号を出力することで、前記主制御基板とは別の基板に設けられる他の演算装置を介さず直接的に前記図柄表示装置の表示制御を開始して前記図柄表示装置に表示される図柄を変動させると共に、前記装飾制御基板に制御信号を送信し、その制御信号を受信した前記装飾制御基板の演算装置が前記制御信号に基づいて前記装飾装置を制御することで、前記装飾制御基板の演算装置を介して間接的に前記装飾装置を制御するものである。
【手続補正８】
【補正対象書類名】明細書
【補正対象項目名】０００８
【補正方法】変更
【補正の内容】
【０００８】
請求項１記載の遊技機によれば、図柄表示装置は、主制御基板の有価価値付与手段によって遊技者に有価価値を付与する場合に、主制御基板に設けられる演算装置の制御によって予め定めた当たり表示を行うものであり、その図柄表示装置で行われる表示の制御が主制御基板とは別の基板に設けられる他の演算装置を介さず直接的に主制御基板により制御される。また、装飾装置は、遊技球等の遊技媒体により遊技が行われる遊技盤に設けられて装飾を行うものであり、その装飾装置の制御が装飾制御基板の演算装置を介して間接的に主制御基板により制御される。このため、ＬＥＤ等により構成される複数の表示装置のうち、検査対象となる当たり表示を行う図柄表示装置を他の演算装置を介さず直接的に主制御基板により制御し、非検査対象となる装飾装置を装飾制御基板の演算装置を介して間接的に主制御基板により制御することで、遊技機の検査試験を簡素化することができるという効果がある。
【手続補正９】
【補正対象書類名】明細書
【補正対象項目名】０００９
【補正方法】削除
【補正の内容】
【手続補正１０】
【補正対象書類名】明細書
【補正対象項目名】０１０７
【補正方法】変更
【補正の内容】
【０１０７】
１                パチンコ機（遊技機）
８ａ〜８ｋ        ランプ（装飾装置の一部）
１２ａ            普通図柄作動スイッチ（検出手段）
１３ａ            ＬＣＤ（図柄表示装置の一部）
１３ｂ            図柄表示ＬＥＤ（図柄表示装置の一部）
１３ｃ，１３ｄ    個数表示ＬＥＤ（装飾装置の一部）
１３ｅ〜１３ｈ    飾りＬＥＤ（装飾装置の一部）
１４ｄ            第１種始動口スイッチ（検出手段）
２５              主制御基板
２８              ランプ制御基板（装飾制御基板）
３５，３９        非検査対象中継基板（第２基板の一部）
３６，４０        検査対象中継基板（第１基板の一部）